(57)【要約】
【課題】  安全構造を具えたスタータ回路装置の提供。
【解決手段】  増強型電界効果トランジスタを電流通路のスイッチとなし、基板上の二つの平行金属條で形成されたバラストコンデンサを組み合わせて、安定した制御機能を提供し、もう一つのトランジスタを導通させ、切断効果を達成し、これにより安定してパルス電圧を発生させ、点灯の動作を完成し、このほか、弾性ヒューズスイッチを用いて、回路異常時に、電界効果トランジスタの温度を上昇させることにより、弾性ヒューズスイッチスイッチを自動的に溶断させ、電源を遮断する効果を達成する。
【選択図】        図１
0003101243.tif 000002
【実用新案登録請求の範囲】
【請求項１】
スタータ基板５に、電流通路のスイッチとされる電界効果トランジスタＱ2 と、予熱時間を制御する別のトランジスタＱ1 、コンデンサＣ1 ，バラストコンデンサＣ2 、ダイオードＤ1 、分圧抵抗Ｒ2 、Ｒ3 が設けられ、回路が導通する時、コンデンサＣ1 が充電開始して電界効果トランジスタＱ2 を導通開始させ、ダイオードＤ1 に電位差が発生し、抵抗Ｒ2 、Ｒ3 の分圧により、バラストコンデンサＣ2 が充電開始してトランジスタＱ1 のベースに導通する電位まで充電された時、抵抗Ｒ4 を通してトランジスタＱ1 が導通開始させられ、この時、電界効果トランジスタＱ2 の電圧が迅速に下降し、遮断の効果を発生し、安定器に逆電圧を発生させて点灯を完成させ、スタータ基板５上に更に二つの平行な金属條５１が設けられ、この二つの平行な金属條５１が導通する時、バラストコンデンサＣ2 が形成され、トランジスタＱ1 の動作を有効に制御し、並びに電界効果トランジスタＱ2 に瞬間停電の効果を発生させ、弾性ヒューズスイッチ６が、電界効果トランジスタＱ2 とトランジスタＱ1 の間に設けられ、回路に異常が発生する時、電界効果トランジスタＱ2 の温度が異常に高くなり、この時、弾性ヒューズスイッチ６の弾性ピン６１の接点が溶断することにより、基板５の高圧による損壊が防止され、安全効果が達成されるよう形成されたことを特徴とする、安全構造を具えたスタータ回路装置。
【考案の詳細な説明】
【技術分野】
【０００１】
本考案は一種のスタータ回路の設計に係り、基板上の平行回路により、安定し且つ機能を具備する容量を発生し、蛍光ランプの点灯機能の制御及び始動を達成でき、並びに弾性スイッチを利用し回路の安全性を確保したスタータ回路に関する。
【背景技術】
【０００２】
伝統的なスタータは、数回閃動しなければ、蛍光ランプを点灯させることができず、このためランプ両端を黒化させやすく、その損壊を加速した。温度が比較的低い時、蛍光ランプ内の電子発射物質に結露が発生して発射しにくくなり、且つ低温の影響を受けて、その二つの金属片の誘導動作が遅くなり、迅速にもう一つの電極に接触できず、点灯に必要な時間が長くなり、実用性が下がった。周知の蛍光ランプスタータの構造及び特性は、安定器を利用しスタータの増圧及び瞬間停電の状況で、逆電圧、いわゆるパルス電圧を発生させて直接ランプ両端のフィラメントに印加し、ランプを励起させ点灯開始する。そのうち安定器は電流制限に用いられ、大電流によるランプの焼損を防止する。この構造を実際に使用する時、電圧不安定、ランプ劣化、安定器漏電等の因子により危険が形成されて電流異常を制御できなくなる状況が発生した。
【考案の開示】
【考案が解決しようとする課題】
【０００３】
ゆえに、本考案は現在使用されているスタータ構造の設計を改良し、バラストコンデンサを利用し、トランジスタの運転を有効に制御し、並びに弾性ヒューズスイッチを設けて、安全、効率的な使用結果を達成できるようにするものである。
【課題を解決するための手段】
【０００４】
請求項１の考案は、スタータ基板５に、電流通路のスイッチとされる電界効果トランジスタＱ2 と、予熱時間を制御する別のトランジスタＱ1 、コンデンサＣ1 ，バラストコンデンサＣ2 、ダイオードＤ1 、分圧抵抗Ｒ2 、Ｒ3 が設けられ、回路が導通する時、コンデンサＣ1 が充電開始して電界効果トランジスタＱ2 を導通開始させ、ダイオードＤ1 に電位差が発生し、抵抗Ｒ2 、Ｒ3 の分圧により、バラストコンデンサＣ2 が充電開始してトランジスタＱ1 のベースに導通する電位まで充電された時、抵抗Ｒ4 を通してトランジスタＱ1 が導通開始させられ、この時、電界効果トランジスタＱ2 の電圧が迅速に下降し、遮断の効果を発生し、安定器に逆電圧を発生させて点灯を完成させ、スタータ基板５上に更に二つの平行な金属條５１が設けられ、この二つの平行な金属條５１が導通する時、バラストコンデンサＣ2 が形成され、トランジスタＱ1 の動作を有効に制御し、並びに電界効果トランジスタＱ2 に瞬間停電の効果を発生させ、弾性ヒューズスイッチ６が、電界効果トランジスタＱ2 とトランジスタＱ1 の間に設けられ、回路に異常が発生する時、電界効果トランジスタＱ2 の温度が異常に高くなり、この時、弾性ヒューズスイッチ６の弾性ピン６１の接点が溶断することにより、基板５の高圧による損壊が防止され、安全効果が達成されるよう形成されたことを特徴とする、安全構造を具えたスタータ回路装置。
【考案の効果】
【０００５】
本考案は、増強型電界効果トランジスタを電流通路のスイッチとなし、基板上の二つの平行金属條で形成されたバラストコンデンサを組み合わせて、安定した制御機能を提供し、もう一つのトランジスタを導通させ、切断効果を達成し、これにより安定してパルス電圧を発生させ、点灯の動作を完成し、このほか、弾性ヒューズスイッチを用いて、回路異常時に、電界効果トランジスタの温度を上昇させることにより、弾性ヒューズスイッチスイッチを自動的に溶断させ、電源を遮断する効果を達成する。
【考案を実施するための最良の形態】
【０００６】
図１は本考案のスタータの電気回路構造図であり、電源スイッチ１が導通時に、電流は安定器２を流れてランプ３の一端のフィラメントに進入し、さらに電子スタータ４に導入される。該電子スタータ４が導通後、電流はランプ３のもう一端のフィラメントに導入され、さらに電源部分に戻り、こうして回路を形成する。このときランプ３部分は予熱状態にあり、電子スタータ４が予熱完成後に、内部の送出する遮断信号が、二つのフィラメントの間にあって、電流通路を遮断し、安定器２は遮断の瞬間に逆電圧（即ちパルス電圧）を発生し、この逆電圧が直接ランプ両端のフィラメントに印加され、ランプ３を励起させ、点灯を完成させる。
【０００７】
前述の電子スタータ４内部の構造は、電流通路のスイッチとされる電界効果トランジスタＱ2 と、予熱時間を制御するトランジスタＱ1 を具えている。回路が導通する時、コンデンサＣ1 は充電開始し、このとき電界効果トランジスタＱ2 は導通開始し、ダイオードＤ1 に電位差が発生し、抵抗Ｒ2 、Ｒ3 の分圧により、コンデンサＣ2 が充電開始し、コンデンサＣ2 がトランジスタＱ1 のベースに導通する電位まで充電された時、抵抗Ｒ4 を通してトランジスタＱ1 が導通開始させられ、この時、電界効果トランジスタＱ2 の電圧は迅速に下降し、遮断の効果を発生し、安定器に逆電圧を発生させて点灯を完成させる。
【０００８】
図２に示されるように、本考案はスタータ基板５に二つの平行な金属條５１が設けられ、この二つの平行な金属條５１が導通する時、バラストコンデンサＣ2 に誘導により容量が発生し、これによりトランジスタＱ1 の動作を有効に制御し、並びに電界効果トランジスタＱ2 に瞬間停電の効果を発生させる。
【０００９】
図３、４は本考案の基板の側面図及び平面図であり、弾性ヒューズスイッチ６は、電界効果トランジスタＱ2 とトランジスタＱ1 の間に設けられている。回路に異常が発生する時、電界効果トランジスタＱ2 の温度が異常に高くなり、この時、弾性ヒューズスイッチ６の弾性ピン６１が接点の溶断により自動的に分離し、基板５の高圧による損壊が防止され、安全効果が達成される。
【００１０】
以上の構造は本考案の実施例に係るものであり、本考案の実施範囲を限定するものではなく、本考案はまた、その他のパワーの電子スタータ基板に応用可能で、例えば図５に示されるのは１０Ｗのスタータ構造であり、それもまた二つの平行な金属條を具え、適当な容量を獲得し、またそれにも弾性ヒューズスイッチの部品を取付ることができる。
【図面の簡単な説明】
【００１１】
【図１】本考案の電気回路構造図である。
【図２】本考案のスタータ回路配置構造図である。
【図３】本考案の基板に弾性ヒューズスイッチを結合させた側面図である。
【図４】本考案の基板に弾性ヒューズスイッチを結合させた平面図である。
【図５】本考案の基板を１０Ｗ出力パワーに設けた配置図である。
【符号の説明】
【００１２】
１  スイッチ        ２  安定器          ３  ランプ      ４  電子スタータ
５  基板            ５１  金属條        Ｃ1 コンデンサ  Ｃ2 コンデンサ
Ｑ1 トランジスタ    Ｑ2 電界効果トランジスタ    Ｒ1 〜Ｒ4 抵抗
６  弾性ヒューズスイッチ                ６１  弾性ピン
Ｄ1 ダイオード
【図１】
0003101243.tif 000003
【図２】
0003101243.tif 000004
【図３】
0003101243.tif 000005
【図４】
0003101243.tif 000006
【図５】
0003101243.tif 000007